(57)【要約】【課題】制御装置への依存度を低めた電源装置を提供する。【解決手段】スイッチ２１〜２３により操作される電源オンランプ２５が接続される端子２５ａ、ｂと、電源オンランプ２５が接続されたときにこれに並列になるようなコイル及びこのコイルに電流が流れることにより導通状態になるリレー接点からなる第１リレースイッチ２６と、を有する電源スイッチ機構２と、外部に駆動用電力を供給するための駆動用電源ユニット３０を有する電源供給機構３とを備える電源装置１である。第１リレースイッチ２６のリレー接点の両端が電源供給機構３に接続されて、電源供給機構３が、このリレー接点の両端から印加される電圧に応じて、駆動用電力を出力する。スイッチ２１〜２３がすべて閉状態のときに、電源オンランプ２５が点灯するとともにコイルに電流が流れるように構成されている。【選択図】図１
2007151287.tif 000002
【特許請求の範囲】
【請求項１】
１以上のスイッチにより操作される電源オンランプが接続される端子と、前記電源オンランプが接続されたときにこれに並列になるようなコイル及びこのコイルに電流が流れることにより導通状態になるリレー接点からなる第１リレースイッチと、を有する電源スイッチ機構と、
外部に駆動用電力を供給するための駆動用電源ユニットを有する電源供給機構とを備え、
前記電源スイッチ機構の前記第１リレースイッチの前記リレー接点の両端が前記電源供給機構に接続されて、前記電源供給機構が、このリレー接点の両端から印加される電圧に応じて、前記駆動用電力の出力を操作するように構成されており、
前記１以上のスイッチがすべて閉状態のときに、前記電源オンランプが点灯するとともに前記コイルに電流が流れるように構成されている、
電源装置。
【請求項２】
前記電源供給機構は、
前記電源スイッチ機構の前記第１リレースイッチの前記リレー接点の両端から同じ電圧が入力されることで前記スイッチの操作を検知して、前記駆動用電源ユニットから前記駆動用電力を出力させる制御手段を備えている、
請求項１記載の電源装置
【請求項３】
前記電源スイッチ機構は、
前記電源オンランプを点灯させるための報知用電力を生成する報知用電源ユニットと、
前記電源供給機構の前記制御手段により電流が流されるコイル及び前記報知用電源ユニットと前記電源オンランプとの間に接続されるリレー接点を有する第２リレースイッチと、をさらに備えており、
この第２リレースイッチのリレー接点の導通状態により、前記電源オンランプが操作可能になっている、
請求項２記載の電源装置。
【請求項４】
前記電源スイッチ機構は、
前記報知用電源ユニットと前記電源オンランプとの間に、前記第２リレースイッチの前記リレー接点に対して並列になるように他のスイッチを備えており、
このスイッチを閉状態にすることで、前記第２リレースイッチによる前記電源オンランプの操作を無効にできるようになっている、
請求項３記載の電源装置。
【請求項５】
前記電源スイッチ機構は、
前記報知用電源ユニットと前記第１リレースイッチとの間に備えられ、前記報知用電源ユニットから出力される前記報知用電力を外部に出力するための報知用端子を有しており、
前記報知用電力を外部に出力可能に構成されている、
請求項１記載の電源装置。
【請求項６】
前記電源スイッチ機構は、
前記１以上のスイッチの少なくとも一つに並列に接続されるリレー接点と、前記報知用端子と前記報知用電源ユニットの間に設けられるコイルとを有する第３リレースイッチをさらに備えており、
この第３リレースイッチの前記リレー接点に並列に接続されるスイッチが開状態の場合でも、このリレー接点が導通状態になるように構成される、
請求項５記載の電源装置。
【請求項７】
前記電源スイッチ機構の前記１以上のスイッチは、
直列に接続された複数のスイッチを有しており、少なくとも一つが自動復帰式のスイッチであり、前記第３リレースイッチの前記リレー接点は、この自動復帰式のスイッチに並列になるように接続されている、
請求項６記載の電源装置。
【請求項８】
前記電源供給機構は、
前記制御手段により電流が流されるコイルと、前記駆動用電源ユニットと出力端子との間に設けられるリレー接点とを有する第４リレースイッチを備えており、
前記制御手段によりこの第４リレースイッチの前記リレー接点の導通状態が操作され、前記駆動用電源ユニットと前記出力端子との間の導通状態が操作されるようになっている、
請求項２記載の電源装置。
【請求項９】
１以上のスイッチにより点灯、消灯が操作される電源オンランプが接続される端子と、
前記１以上のスイッチが接続される端子と、
前記電源オンランプが接続されたときにこれに並列になるようなコイル及びこのコイルに電流が流れることにより導通状態になるリレー接点を有する第１リレースイッチと、
前記電源オンランプを点灯させるための報知用電力を生成する報知用電源ユニットと、を備えており、
前記報知用電源ユニットは、前記１以上のスイッチが接続される前記端子に接続されており、この端子は前記電源オンランプが接続される端子及び前記第１リレースイッチの前記コイルに接続されており、
前記１以上のスイッチのすべてが閉状態になると、前記電源オンランプが点灯するとともに、前記第１リレースイッチのリレー接点が導通状態になるように構成されている、
電源スイッチ装置。
【請求項１０】
前記１以上のスイッチが接続される端子と前記電源オンランプが接続される端子との間に外部の報知装置が接続される端子をさらに備えており、
前記報知装置により前記１以上のスイッチの開閉状態を報知可能に構成されている、
請求項９記載の電源スイッチ装置。
【請求項１１】
外部からの入力により電流が流されるコイル及び前記１以上のスイッチと前記電源オンランプが接続される端子との間に設けられるリレー接点を有する第２リレースイッチをさらに有しており、
外部からの入力により前記電源オンランプの点灯、消灯を操作できるようになっている、
請求項９記載の電源スイッチ装置。
【請求項１２】
前記報知用電源ユニットと前記電源オンランプとの間に、前記第２リレースイッチの前記リレー接点に対して並列になるようにスイッチを備えており、
このスイッチを閉状態にすることで、前記第２リレースイッチによる前記電源オンランプの点灯、消灯の操作を無効にできるようになっている、
請求項１１記載の電源スイッチ装置。
【請求項１３】
前記１以上のスイッチの少なくとも一つに並列に接続されるリレー接点と、前記報知用端子と前記報知用電源ユニットの間に設けられるコイルとを有する第３リレースイッチをさらに備えており、
この第３リレースイッチの前記リレー接点に並列に接続されるスイッチが開状態の場合でも、このリレー接点が導通状態になるように構成される、
請求項９記載の電源スイッチ装置。
【請求項１４】
直列に接続される複数のスイッチと、
前記複数のスイッチにより操作される電源オンランプと、
この電源オンランプに並列に接続されたコイル及びこのコイルに電流が流れることにより導通状態になるリレー接点を有する第１リレースイッチと、
前記電源オンランプを点灯させるための報知用電力を生成する報知用電源ユニットと、を備えており、
前記複数のスイッチが前記報知用電源ユニットと前記電源オンランプとの間に接続されており、
前記複数のスイッチのすべてが閉状態になると、前記電源オンランプが点灯するとともに、前記第１リレースイッチのリレー接点が導通状態になるように構成されている、
電源スイッチ装置。
【請求項１５】
請求項９〜１４のいずれかに記載の電源スイッチ装置が基板上に一体に形成された、シーケンスボード。
【発明の詳細な説明】
【技術分野】
【０００１】
本発明は、例えば電子機器、電気機器に電力を供給するための電源装置及びその電源装置に使用可能な電源スイッチ装置に関する。
【背景技術】
【０００２】
電源装置には、電子機器に単純に電力を供給するのみならず、最近は複雑な制御の基に電力の供給を行うようになっているものがある。図３は、このような複雑な制御の基に電力を供給することができる従来の電源装置の構成図である。
図３の電源装置５は、電源ユニット５０、電源オンスイッチ５１、電源オフスイッチ５２、非常停止スイッチ５３、ＰＬＣ（Programmable Logic Controller）５４、電源オンランプ５９、及びリレースイッチ６０を備えている。ＰＬＣ５４は、入力ユニット５５及び出力ユニット５８を有する。
【０００３】
この電源装置５は、交流電源ＡＣ３から印加される交流電力を所望の直流電力に変換して、第１、第２出力端子ＯＵＴ１、２から出力するものである。第１、第２出力端子ＯＵＴ１、２から出力される直流電力は、様々な電子機器、電気機器に供給される。交流電源ＡＣ３には、例えば家庭用電源、商用電源等の通常電源を用いることができる。第１、第２出力端子ＯＵＴ１、ＯＵＴ２からの出力は、ＰＬＣ５４により操作されるようになっている。
【０００４】
電源ユニット５０は、２つの交流入力端子、接地端子、正電極端子、及び負電極端子を有している。２つの交流入力端子には交流電源ＡＣ３から交流電力が供給されるようになっている。接地端子は接地される。電源ユニット５０は、２つの交流入力端子に供給される交流電力から所望の直流電力を生成する。生成した直流電力は正電極端子から出力される。負電極端子からは接地電圧が出力される。
【０００５】
電源オンスイッチ５１、電源オフスイッチ５２、及び非常停止スイッチ５３は、それぞれ電源ユニット５０の負電極端子とＰＬＣ５４の入力ユニット５５との間に並列に接続される。電源オンスイッチ５１、電源オフスイッチ５２、及び非常停止スイッチ５３は、それぞれ操作者に押下されることで閉状態（オン状態）、開状態（オフ状態）が切り替えられるようになっている。電源オンスイッチ５１、電源オフスイッチ５２、及び非常停止スイッチ５３のオン状態、オフ状態に応じて、電源ユニット５０の負電極端子の電圧が、ＰＬＣ５４の入力ユニット５５への入力信号として入力される。
【０００６】
ＰＬＣ５４は、入力ユニット５５、出力ユニット５８の他に、所定の処理を行うためのシーケンスプログラムが記憶されたメモリ５６、及びこのシーケンスプログラムにより、入力ユニット５５から入力される信号に基づく処理を実行するＣＰＵ（Central Processing Unit）５７を有している。ＣＰＵ５７による処理結果は出力ユニット５８から出力される。
【０００７】
入力ユニット５５は、電源オンスイッチ５１が接続される端子、電源オフスイッチ５２が接続される端子、非常停止スイッチ５３が接続される端子、リレースイッチ６０のリレー接点が接続される端子、及び電源ユニット５０の正電極端子が接続される端子を備えており、これらの端子から入力される入力信号をＣＰＵ５７に送るようになっている。ＣＰＵ５７は、各入力信号に応じてメモリ５６から所望のシーケンスプログラムを読み込み、処理を実行する。
【０００８】
出力ユニット５８は、リレースイッチ６０のコイルが接続される端子、電源オンランプ５９が接続される端子、電源ユニット５０の正電極端子に接続される端子、及び電源ユニット５０の負電極端子に接続される端子を備えており、これらの端子からＣＰＵ５７による処理結果に基づく出力信号を電圧として出力する。
【０００９】
電源オンランプ５９は、ＰＬＣ５４の出力ユニット５８の２つの端子間に接続されており、この２つの端子から出力される出力信号に基づいて動作するものである。例えば、電源装置５から電力を出力する場合、電源オンランプ５９の両端には異なる電圧が印加されて点灯し、操作者に電力を供給状態であることを報知するようになっている。
【００１０】
リレースイッチ６０は、電源オンコイル及び３つのリレー接点を有している。電源オンコイルはＰＬＣ５４の出力ユニット５８の２つの端子間に接続されている。リレー接点は、電源ユニット５０の負電極端子とＰＬＣ５４の入力ユニット５５との間、電源ユニット５０の正電極端子と第１出力端子ＯＵＴ１との間、電源ユニット５０の負電極端子と第２出力端子ＯＵＴ２との間、に接続されている。
【００１１】
電源装置５から電力を出力する場合、電源オンコイルの両端には異なる電圧が印加されて電流が流れ、磁界が発生する。この磁界により、３つのリレー接点は導通状態になる。電源ユニット５０の負電極端子とＰＬＣ５４の入力ユニット５５との間のリレー接点が導通状態になることで、入力ユニット５５と電源ユニット５０の負電極端子とが導通され、負電極端子の電圧が入力ユニット５５に入力信号として入力される。この入力信号により、ＰＬＣ５４は電力の出力が行われていることを確認できるようになっている。電源ユニット５０の正電極端子と第１出力端子ＯＵＴ１との間のリレー接点が導通状態になることで、この正電極端子と第１出力端子ＯＵＴ１とが導通され、正電極端子から出力される電力が第１出力端子ＯＵＴ１を介して出力されるようになる。電源ユニット５０の負電極端子と第２出力端子ＯＵＴ２との間のリレー接点が導通状態になることで、この負電極端子と第２出力端子ＯＵＴ２とが導通され、負電極端子から出力される電力が第２出力端子ＯＵＴ２を介して出力されるようになる。
【００１２】
つまり、ＰＬＣ５４からの出力信号が電源装置５からの電力の出力を指示するものである場合には、電源オンランプ５９が点灯し、リレースイッチ６０がオン状態になる。電力の出力を指示しないものである場合には、電源オンランプ５９が消灯し、リレースイッチ６０がオフ状態になる。
【発明の開示】
【発明が解決しようとする課題】
【００１３】
このようにＰＬＣ５４を用いた従来の電源装置５は、ＰＬＣ５４により電力の出力動作が正確に操作される。しかし、反面、電源装置５はＰＬＣ５４に出力動作を依存するために、ＰＬＣ５４に不具合がある場合に正確な動作ができなくなる。特に、電源オンランプ５９が消灯時に、リレースイッチ６０がオン状態になると、操作者に電力が出力状態であることを報知せずに電力の出力が行われるので非常に危険である。
【００１４】
本発明は、上記の問題に鑑み、ＰＬＣ等の制御装置への依存度を低めた電源装置を提供することを課題とする。
本発明の他の課題は、ＰＬＣ等の制御装置を用いない電源スイッチ装置を提供することにある。
【課題を解決するための手段】
【００１５】
上記の課題を解決する本発明の電源装置は、１以上のスイッチにより操作される電源オンランプが接続される端子と、前記電源オンランプが接続されたときにこれに並列になるようなコイル及びこのコイルに電流が流れることにより導通状態になるリレー接点からなる第１リレースイッチと、を有する電源スイッチ機構と、外部に駆動用電力を供給するための駆動用電源ユニットを有する電源供給機構とを備え、前記電源スイッチ機構の前記第１リレースイッチの前記リレー接点の両端が前記電源供給機構に接続されて、前記電源供給機構が、このリレー接点の両端から印加される電圧に応じて、前記駆動用電力の出力を操作するように構成されている。この電源装置は、前記１以上のスイッチがすべて閉状態のときに、前記電源オンランプが点灯するとともに前記コイルに電流が流れるように構成されている。
【００１６】
従来の電源装置では、電源オンランプの操作もＰＬＣで行っており、ＰＬＣへの依存度が極めて高かった。本発明の電源装置では、電源オンランプの操作はスイッチで直接行っており、ＰＬＣへの依存度を低減した。
例えば、前記電源供給機構が、前記電源スイッチ機構の前記第１リレースイッチの前記リレー接点の両端から同じ電圧が入力されることで前記スイッチの操作を検知して、前記駆動用電源ユニットから前記駆動用電力を出力させる制御手段を備えている場合でも、この制御手段からの直接の影響を電源オンランプが受けることはない。
【００１７】
ただし、以下のような構成を追加することで、制御手段による電源オンランプの操作が可能になる。例えば、前記電源スイッチ機構が、前記電源オンランプを点灯させるための報知用電力を生成する報知用電源ユニットと、前記電源供給機構の前記制御手段により電流が流されるコイル及び前記報知用電源ユニットと前記電源オンランプとの間に接続されるリレー接点を有する第２リレースイッチと、をさらに備える場合には、この第２リレースイッチのリレー接点の導通状態により、前記電源オンランプが操作可能になる。つまり、制御手段による電源オンランプの操作が可能になる。
しかし、この電源装置は、電源オンランプの点灯時にしか第１リレースイッチのコイルに電流が流れないので、電源オンランプの操作をＰＬＣでしか行えなかった従来よりも、ＰＬＣへの依存度は下がっている。
また、このような構成の電源装置でも、前記電源スイッチ機構に、前記報知用電源ユニットと前記電源オンランプとの間に、前記第２リレースイッチの前記リレー接点に対して並列になるように他のスイッチを備えて、このスイッチを閉状態にすることで、前記第２リレースイッチによる前記電源オンランプの操作を無効にできるようになる。
【００１８】
本発明の電源装置は、前記電源スイッチ機構が、さらに、前記報知用電源ユニットと前記第１リレースイッチとの間に備えられ、前記報知用電源ユニットから出力される前記報知用電力を外部に出力するための報知用端子を有して、前記報知用電力を外部に出力可能に構成されていてもよい。このような構成では、例えば報知用端子に報知装置を接続することで、報知用電源ユニットから電力が出力されているか否かを報知することができるようになる。
【００１９】
前記電源スイッチ機構が、前記１以上のスイッチの少なくとも一つに並列に接続されるリレー接点と、前記報知用端子と前記報知用電源ユニットの間に設けられるコイルとを有する第３リレースイッチをさらに備えている場合には、この第３リレースイッチの前記リレー接点に並列に接続されるスイッチが開状態の場合でも、このリレー接点が導通状態になるように構成される。
例えば、前記電源スイッチ機構の前記１以上のスイッチが、直列に接続された複数のスイッチを有しており、少なくとも一つが自動復帰式のスイッチである場合には、前記第３リレースイッチの前記リレー接点は、この自動復帰式のスイッチに並列になるように接続される。このような構成により、前記１以上のスイッチの閉状態を保持することができる。
【００２０】
前記電源供給機構は、例えば、前記制御手段により電流が流されるコイルと、前記駆動用電源ユニットと出力端子との間に設けられるリレー接点とを有する第４リレースイッチを備えている。前記制御手段によりこの第４リレースイッチの前記リレー接点の導通状態が操作され、前記駆動用電源ユニットと前記出力端子との間の導通状態が操作されるようになっている。
【００２１】
本発明の電源スイッチ装置は、１以上のスイッチにより点灯、消灯が操作される電源オンランプが接続される端子と、前記１以上のスイッチが接続される端子と、前記電源オンランプが接続されたときにこれに並列になるようなコイル及びこのコイルに電流が流れることにより導通状態になるリレー接点を有する第１リレースイッチと、前記電源オンランプを点灯させるための報知用電力を生成する報知用電源ユニットと、を備えている。前記報知用電源ユニットは、前記１以上のスイッチが接続される前記端子に接続されており、この端子は前記電源オンランプが接続される端子及び前記第１リレースイッチの前記コイルに接続されている。前記１以上のスイッチのすべてが閉状態になると、前記電源オンランプが点灯するとともに、前記第１リレースイッチのリレー接点が導通状態になるように構成されている。
【００２２】
このような電源スイッチ装置は、例えば、前記１以上のスイッチが接続される端子と前記電源オンランプが接続される端子との間に外部の報知装置が接続される端子をさらに備えており、前記報知装置により前記１以上のスイッチの開閉状態を報知可能に構成されている。
【００２３】
外部からの入力により電流が流されるコイル及び前記１以上のスイッチと前記電源オンランプが接続される端子との間に設けられるリレー接点を有する第２リレースイッチをさらに有していてもよい。このような構成では、外部からの入力により前記電源オンランプの点灯、消灯を操作できるようになる。なお、この場合には、前記報知用電源ユニットと前記電源オンランプとの間に、前記第２リレースイッチの前記リレー接点に対して並列になるようにスイッチを備えて、このスイッチを閉状態にすることで、前記第２リレースイッチによる前記電源オンランプの点灯、消灯の操作を無効にできるようにしてもよい。
【００２４】
前記１以上のスイッチの少なくとも一つに並列に接続されるリレー接点と、前記報知用端子と前記報知用電源ユニットの間に設けられるコイルとを有する第３リレースイッチをさらに備えていてもよい。このような構成では、この第３リレースイッチの前記リレー接点に並列に接続されるスイッチが開状態の場合でも、このリレー接点が導通状態になる。
【００２５】
本発明の他の電源スイッチ装置は、直列に接続される複数のスイッチと、前記複数のスイッチにより操作される電源オンランプと、この電源オンランプに並列に接続されたコイル及びこのコイルに電流が流れることにより導通状態になるリレー接点を有する第１リレースイッチと、前記電源オンランプを点灯させるための報知用電力を生成する報知用電源ユニットと、を備えている。前記複数のスイッチが前記報知用電源ユニットと前記電源オンランプとの間に接続されており、前記複数のスイッチのすべてが閉状態になると、前記電源オンランプが点灯するとともに、前記第１リレースイッチのリレー接点が導通状態になるように構成されている。
【００２６】
以上のような電源スイッチ装置は、例えば基板上に一体に形成された、シーケンスボードとして構成される。
【発明の効果】
【００２７】
以上のような本発明によれば、ＰＬＣへの依存度を低下させて電源の状態を操作者へ報知することができる。
【発明を実施するための最良の形態】
【００２８】
以下、本発明の実施形態を図面を参照して説明する。
【００２９】
図１は本実施形態の電源装置の構成図である。
この電源装置１は、電源スイッチ機構２と電源供給機構３とを有している。電源スイッチ機構２は、操作者によりスイッチが操作されることにより、電源がオン状態にあるかオフ状態にあるかを操作者に報知するとともに、電源供給機構３から電力を所定の装置に出力させるものである。電源スイッチ機構２は、本発明の電源スイッチ装置の一例である。電源供給機構３は、電源スイッチ機構２により電力を所定の装置に供給するものである。
【００３０】
電源スイッチ機構２は、報知用電源ユニット２０、電源オンスイッチ２１が接続される端子２１ａ、ｂ、電源オフスイッチ２２が接続される端子２２ａ、ｂ、非常停止スイッチ２３が接続される端子２３ａ、ｂ、スライドスイッチ２４、電源オンランプ２５が接続される端子２５ａ、ｂ、第１〜第３リレースイッチ２６〜２８、及び報知装置４が接続される端子４ａ、ｂを備えている。報知用電源ユニット２０には、交流電源ＡＣ１が接続される。そのために電源スイッチ機構２は、報知用電源ユニット２０が接続される２つの交流入力端子２０ａ、ｂ及び接地端子２０ｃも備える。第１リレースイッチ２６及び第２リレースイッチ２７には、電源供給機構３が有するＰＬＣ３１が接続される。そのために電源スイッチ機構２は、第１リレースイッチ２６が接続される端子２６ａ、ｂ、第２リレースイッチ２７が接続される端子２７ａ、ｂも備える。このような電源スイッチ機構２は、例えば図２に示すような一つの基板上に設けられる。図２は、電源スイッチ機構２が基板上に形成されたシーケンスボードの構成例を示す図である。
【００３１】
報知用電源ユニット２０は、正電極端子、及び負電極端子を有しており、交流電源ＡＣ１から２つの交流入力端子２０ａ、ｂを介して供給される交流電力から、報知用の所望の直流電力を生成するものである。例えば、交流の１００Ｖ電圧から、直流の２４Ｖ電圧（３Ｗ）を生成する。生成した直流電圧は、正電極端子から出力する。負電極端子からは接地電圧を出力する。負電極端子は端子４ｂに接続されている。交流電源ＡＣ１には、例えば家庭用電源、商用電源等の通常電源を用いることができる。
【００３２】
端子２１ａ、ｂには電源オンスイッチ２１が接続され、端子２２ａ、ｂには電源オフスイッチ２２が接続され、端子２３ａ、ｂには非常停止スイッチ２３が接続される。端子２１ｂと端子２２ａが接続され、端子２２ｂと端子２３ａが接続され、端子２３が端子４ａに接続される。そのために、電源オンスイッチ２１、電源オフスイッチ２２、及び非常停止スイッチ２３が、この順に、報知用電源ユニット２０の正電極端子と端子４ａとの間に直列接続される。電源オンスイッチ２１は、操作者に押下されることで閉状態（オン状態）になるスイッチである。電源オフスイッチ２２及び非常停止スイッチ２３は、操作者に押下されることで開状態（オフ状態）になるスイッチである。
【００３３】
電源オンスイッチ２１、電源オフスイッチ２２、及び非常停止スイッチ２３のすべてがオン状態にあるときに、報知用電源ユニット２０の正電極端子と端子４ａとの間が導通状態になり、１つでもオフ状態にあるときに非導通状態になる。なお、電源オンスイッチ２１は自動復帰式のスイッチである。電源オフスイッチ２２及び非常停止スイッチ２３も自動復帰式のスイッチであることが望ましい。
【００３４】
端子４ａ、ｂには報知装置４が接続される。報知装置４は、視覚的及び／又は聴覚的に、操作者に電源オンスイッチ２１、電源オフスイッチ２２、及び非常停止スイッチ２３の状態を報知するものであり、ＬＥＤ（Light-Emitting Diode）や豆電球などの発光体、ブザーなどの発音装置を用いることができる。報知装置４は、例えば、電源オンスイッチ２１、電源オフスイッチ２２、及び非常停止スイッチ２３がすべてオン状態にあるときに、発光、発音等により操作者にオン状態にあることを報知する。
【００３５】
スライドスイッチ２４は、端子４ａと端子２５ａとの間に接続される。端子２５a、ｂには電源オンランプ２５が接続される。端子２５ｂは、報知用電源ユニット２０の負電極端子にも接続される。電源オンランプ２５には、ＬＥＤや豆電球などの、両端に異なる電圧が印加されるときに発光する発光体が用いられる。電源オンランプ２５により、操作者に対して電源供給機構３の状態を視覚的に報知することができる。なお、電源オンランプ２５に代えて報知装置４と同様な装置を端子２５ａ、ｂに接続してもよい。この場合、視覚的及び／又は聴覚的に操作者に電源供給機構３の状態を報知することができるようになる。
【００３６】
第１〜第３リレースイッチ２６〜２８は、同じ構成であり、それぞれコイルとリレー接点とを有している。コイルに電流が流れることで磁界が生じ、この磁界によりリレー接点が導通状態になるようになっている。
【００３７】
第１リレースイッチ２６は、コイルが、端子２５ａ、ｂの間に、電源オンランプ２５と並列になるように接続されている。リレー接点は、端子２６ａ、ｂを介してＰＬＣ３１にその両端が接続されている。第１リレースイッチ２６のコイルは高抵抗であり、リレー接点が導通状態になる程度の微弱な電流しか流れないようになっている。
【００３８】
第２リレースイッチ２７は、リレー接点が端子４ａと端子２５ａとの間に、スライドスイッチ２４と並列になるように接続されている。コイルは、端子２７ａ、ｂを介してＰＬＣ３１にその両端が接続されている。
【００３９】
第３リレースイッチ２８は、リレー接点が端子２１ａ、ｂの間に、電源オンスイッチ２１と並列になるように接続されている。コイルは、端子４ａと報知用電源ユニット２０の負電極端子との間に接続されている。コイルは高抵抗であり、リレー接点が導通状態になる程度の微弱な電流しか流れないようになっている。
【００４０】
電源供給機構３は、駆動用電源ユニット３０、ＰＬＣ３１、及び第４リレースイッチ３２を備えている。駆動用電源ユニット３０には、交流電源ＡＣ２が接続されている。ＰＬＣ３１は、電源スイッチ機構２の端子２６ａ、ｂ、２７ａ、ｂに接続されている。第４リレースイッチ３２は、所定の装置に電力を供給するための第１出力端子ＯＵＴ１及び第２出力端子ＯＵＴ２に接続されている。電源供給機構３は、交流電源ＡＣ２から供給される交流電力を所望の直流電力に変換して、第４リレースイッチ３２を介して第１出力端子ＯＵＴ１及び第２出力端子ＯＵＴ２から所定の装置に供給するようになっている。
【００４１】
駆動用電源ユニット３０は、２つの交流入力端子、接地端子、正電極端子、及び負電極端子を有しており、交流電源ＡＣ２から２つの交流入力端子に供給される交流電力から、他の装置を駆動するための所望の直流電力を生成するものである。生成する直流電力の電力量は、駆動する装置に応じて決められる。生成した直流電圧は、正電極端子から出力する。負電極端子からは接地電圧を出力する。正電極端子及び負電極端子は第４リレースイッチ３２に接続されている。交流電源ＡＣ２には、交流電源ＡＣ１と同様に、例えば家庭用電源、商用電源等の通常電源を用いることができる。
【００４２】
ＰＬＣ３１は従来のＰＬＣと同様の構成を有しており、入力ユニット、出力ユニット、ＣＰＵ、及びメモリを備えている（図示は省略）。ＰＬＣ３１は、電源スイッチ機構２の端子２６ａ、ｂから出力される電圧を信号として入力ユニットから入力し、これに応じたシーケンスプログラムをメモリから読み出し、ＣＰＵにより処理を行う。処理の結果得られる信号を、電源スイッチ機構２の端子２７ａ、ｂ及び第４リレースイッチ３２のコイルに、電圧として印加する。
【００４３】
第４リレースイッチ３１は、コイルと２つのリレー接点とを有している。コイルは、ＰＬＣ３１の出力ユニットの２つの端子に接続されており、これにより両端に異なる電圧が印加されるようになっている。２つのリレー接点の一方は、駆動用電源ユニット３０の正電極端子と第２出力端子ＯＵＴ２の間に接続されており、他方は、駆動用電源ユニット３０の負電極端子と第１出力端子ＯＵＴ１の間に接続されている。２つのリレー接点は、コイルに電流が流れることで発生する磁界により導通状態になり、正電極端子と第２出力端子ＯＵＴ２、負電極端子と第１出力端子ＯＵＴ１が導通される。
【００４４】
このような電源装置１は、電源スイッチ機構２に接続された電源オンスイッチ２１、電源オフスイッチ２２、及び非常停止スイッチ２３のすべてがオン状態になると、報知用電源ユニット２０の正電極端子と端子４ａとの間が導通状態になり、報知用電源ユニット２０の正電極端子の電圧が端子４ａから出力される。報知用電源ユニット２０の正電極端子と端子４ａとの間が導通状態になると、第３レースイッチ２８のコイルの両端に異なる電圧が印加され、コイルにより磁界が発生する。この磁界により第３リレースイッチ２８のリレー接点が導通状態になる。電源オンスイッチ２１は、前述の通り自動復帰式であるために、所定の時間でオフ状態になるが、その前に第３リレースイッチ２８のリレー接点が導通状態になることで、報知用電源ユニット２０の正電極端子と端子４ａとの間が導通状態は保たれる。また、第３リレースイッチ２８のコイルは高抵抗であるために、端子４ａと端子４ｂとの間の電位差は、報知用電源ユニット２０の正電極端子と負電極端子との間の電位差と大きく変わることはない。
【００４５】
報知装置４は、端子４ａ、ｂから異なる電圧が印加されることで、視覚的及び／又は聴覚的に、操作者に報知用電源ユニット２０の正電極端子と端子４ａとが導通状態にあることを報知する。
【００４６】
電源オフスイッチ２２及び非常停止スイッチ２３の少なくとも一方が、操作者に押下されることで、報知用電源ユニット２０の正電極端子と端子４ａとの間が非導通状態になる。そのために、第３リレースイッチ２８のコイルには電流が流れなくなり、リレー接点が非導通状態になる。報知用電源ユニット２０の負電極端子と端子４ａとは、第３リレースイッチ２８のコイルを介して接続されており、コイルに電流が流れない場合には、同じ電圧になる。そのために端子４ａ、ｂから報知装置４に同じ電圧が印加され、報知装置４は、視覚的及び／又は聴覚的に、操作者に報知用電源ユニット２０の正電極端子と端子４ａとが切断されたことを報知する。
【００４７】
報知用電源ユニット２０の正電極端子と端子４ａとの間が導通状態にあり、スライドスイッチ２４がオン状態であれば、電源オンランプ２５の両端に、報知用電源ユニット２０の正電極端子の電圧と負電極端子の電圧とが印加され、電源オンランプ２５が点灯する。また、第１リレースイッチ２６のコイルの両端にも報知用電源ユニット２０の正電極端子の電圧と負電極端子の電圧とが印加され、このコイルに電流が流れる。コイルに電流が流れるために、第１リレースイッチ２６のリレー接点はオン状態になる。
【００４８】
第１リレースイッチ２６のリレー接点がオン状態になることで、端子２６ａ、ｂは同電位になる。端子２６ａ、ｂに接続される電源供給機構３のＰＬＣ３１の入力ユニットには、同じ電圧が入力信号として入力される。ＰＬＣ３１は、入力ユニットに同じ入力信号が入力されることで、電源スイッチ機構２に接続された電源オンスイッチ２１、電源オフスイッチ２２、及び非常停止スイッチ２３のすべてがオン状態になったことを検知することができる。つまり、第１リレースイッチ２６により電源オンスイッチ２１、電源オフスイッチ２２、及び非常停止スイッチ２３の状態がＰＬＣ３１に報知される。
【００４９】
ＰＬＣ３１は、入力信号に応じて電源供給機構３から所定の装置に電力を供給すべく、第４リレースイッチ３２のコイルの両端に異なる電圧を印加して、このコイルに電流を流す。コイルに電流が流れることにより、第４リレースイッチ３２の２つのリレー接点がそれぞれ導通して、駆動用電源ユニット３０の正電極端子と第２出力端子ＯＵＴ２との間が導通状態になるとともに、駆動用電源ユニット３０の負電極端子と第１出力端子ＯＵＴ１との間が導通状態になる。
【００５０】
駆動用電源ユニット３０は、交流電源ＡＣ２の交流電力から生成した所定の直流電力を正電極端子及び負電極端子から出力している。駆動用電源ユニット３０の正電極端子と第２出力端子ＯＵＴ２が導通状態になるとともに、駆動用電源ユニット３０の負電極端子と第１出力端子ＯＵＴ１が導通状態になると、駆動用電源ユニット３０により生成された直流電力が第１出力端子ＯＵＴ１及び第２出力端子ＯＵＴ２から出力される。出力された電力は、所定の装置に供給される。
【００５１】
ＰＬＣ３１は、第４リレースイッチ３２の他に、入力信号に応じて電源スイッチ機構２の端子２７ａ、ｂにも異なる電圧を印加する。これにより、電源スイッチ機構２の第２リレースイッチ２７のコイルの両端に異なる電圧が印加され、このコイルに電流が流れる。コイルに電流が流れることにより、第２リレースイッチ２７のリレー接点が導通して、端子４ａと端子２５ａとの間が導通状態になる。これにより、電源オンランプ２５は点灯状態を維持し、第１リレースイッチ２６のリレー接点はオン状態を保つ。そのために、電源供給機構３からの直流電力の出力が保たれる。
【００５２】
この後、スライドスイッチ２４がオフ状態になれば、ＰＬＣ３１により端子４ａと端子２５ａとの間の導通、非導通を操作できるようになる。これにより電源供給機構３からの直流電力の出力を操作できるようになる。スライドスイッチ２４がオン状態であれば、端子４ａと端子２５ａとの間が常に導通状態にあるので、電源供給機構３からの直流電力の出力は、電源オンスイッチ２１、電源オフスイッチ２２、及び非常停止スイッチ２３により操作されることになる。
【００５３】
電源オンスイッチ２１、電源オフスイッチ２２、及び非常停止スイッチ２３のすべてがオン状態で、且つ端子４ａと端子２５ａとの間が導通状態であれば、電源オンランプ２５が常に点灯しており、電源供給機構３からも直流電力が出力される。端子４ａと端子２５ａとの間が非導通状態であれば、電源オンランプ２５が消灯しており、電源供給機構３からの直流電力の出力が終了する。つまり、電源オンランプ２５は電源供給機構３から直流電力が出力されているか否かを操作者に対して報知する報知装置となる。
【００５４】
このように、従来の電源装置５がＰＬＣ５４により電源オンランプ５９の操作を行っていたのに対し、本発明の電源装置１は、ＰＬＣ３１を用いずに電源オンランプ２５の操作を行えるようになっている。また、電源オンランプ２５が点灯している場合にのみ（第１リレースイッチ２６のリレー接点が導通状態にある場合にのみ）、ＰＬＣ３１により電源供給機構３から電力が出力される。そのために、従来のように電力が出力されているにもかかわらず、電源オンランプ２５が消灯しているということが起こりづらい。
【００５５】
電源スイッチ機構２は、一つの基板上に形成できる。そのために、電源装置１の全体の構成が簡略化される。また、製造工程も簡略化され、製造コストを下げることができる。なお、この実施形態では、電源オンスイッチ２１、電源オフスイッチ２２、非常停止スイッチ２３、報知装置４、及び電源オンランプ２５を電源スイッチ機構２の外部に設けた構成としているが、これの少なくとも一部を電源スイッチ機構２に一体として同じ基板上に設けた構成にしてもよい。
【図面の簡単な説明】
【００５６】
【図１】本実施形態の電源装置の構成図である。
【図２】電源スイッチ機構が基板上に形成されたシーケンスボードの構成例を示す図である。
【図３】従来の電源装置の構成図である。
【符号の説明】
【００５７】
１、５  電源装置
２  電源スイッチ機構
２０  報知用電源ユニット
２１、５１  電源オンスイッチ
２２、５２  電源オフスイッチ
２３、５３  非常停止スイッチ
２４  スライドスイッチ
２５、５９  電源オンランプ
２６  第１リレースイッチ
２７  第２リレースイッチ
２８  第３リレースイッチ
３  電源供給機構
３０  駆動用電源ユニット
３１、５４  ＰＬＣ
３２  第４リレースイッチ
４  報知装置
５０  電源ユニット
５５  入力ユニット
５６  メモリ
５７  ＣＰＵ
５８  出力ユニット
６０  リレースイッチ
４ａ、ｂ、２０ａ、ｂ、ｃ、２１ａ、ｂ、２２ａ、ｂ、２３ａ、ｂ、２５ａ、ｂ、２７ａ、ｂ、２８ａ、ｂ  端子
ＡＣ１、ＡＣ２、ＡＣ３  交流電源
ＯＵＴ１  第１出力端子
ＯＵＴ２  第２出力端子
【図１】
2007151287.tif 000003
【図２】
2007151287.tif 000004
【図３】
2007151287.tif 000005